(57)【要約】【課題】  撮影者が過去に行った撮影時の手ぶれ量を参照することができ、自身の撮影技量を把握可能にし、また、参照した手ぶれ量を撮影の際に利用することができるカメラを提供する。【解決手段】  本発明にかかるカメラは、撮影時の手ぶれ量を演算する演算制御手段と、手ぶれ量に関する情報を表示可能な表示手段と、演算制御手段で演算された手ぶれ量を記憶する記憶手段とを備え、演算制御手段が、記憶手段に記憶された手ぶれ量に基づき手ぶれ量参照情報を生成し、手ぶれ量参照情報を表示手段に表示させる。【選択図】  図１
2006350116.tif 000002
【特許請求の範囲】
【請求項１】
撮影時の手ぶれ量を演算する演算制御手段と、
前記手ぶれ量に関する情報を表示可能な表示手段と、
前記演算制御手段で演算された前記手ぶれ量を記憶する記憶手段とを備え、
前記演算制御手段が、前記記憶手段に記憶された前記手ぶれ量に基づき手ぶれ量参照情報を生成し、前記手ぶれ量参照情報を前記表示手段に表示させることを特徴とするカメラ。
【請求項２】
前記演算制御手段が、前記手ぶれ量参照情報として、前記記憶手段に記憶された前記手ぶれ量を最後に撮影したものから順次遡って前記表示手段に表示させることができることを特徴とする請求項１に記載のカメラ。
【請求項３】
前記演算制御手段に操作信号を入力可能な操作手段を備え、
前記演算制御手段が、前記操作手段からの操作信号に基づき、前記手ぶれ量参照情報を生成し、該手ぶれ量参照情報を前記表示手段に表示させることを特徴とする請求項１又は２に記載のカメラ。
【請求項４】
前記演算制御手段が、前記手ぶれ量参照情報として、記憶された前記手ぶれ量に対応する撮影条件を前記表示手段に表示させることを特徴とする請求項１から３のいずれか１つに記載のカメラ。
【請求項５】
前記撮影条件が、少なくとも撮影条件番号，撮影年月日時刻，シャッタ速度、絞り値を含むことを特徴とする請求項４に記載のカメラ。
【請求項６】
前記演算制御手段が、前記記憶手段に記憶された手ぶれ量を累計して平均値を算出し、該平均値を前記手ぶれ量参照情報として前記表示手段に表示させることを特徴とする請求項１から５のいずれか１つに記載のカメラ。
【請求項７】
前記演算制御手段が、前記記憶手段に記憶された前記手ぶれ量を統計的にクラス分けし、クラスごとの手ぶれの発生回数を前記表示手段に表示させることを特徴とする請求項１から６のいずれか１つに記載のカメラ。
【請求項８】
前記演算制御手段が、前記記憶手段に記憶された前記手ぶれ量を累計して平均値を算出し、該平均値に対応するランク付けを行って前記表示装置に表示させることを特徴とする請求項１から７のいずれか１つに記載のカメラ。
【請求項９】
レンズから被写体までの距離を読み込む測距値読み込み手段と、
カメラボディの振動を角速度の変化として検出する振動検出手段と、
レンズの焦点距離およびレンズから結像点までの距離を読み込むレンズ情報読み込み手段と、
撮影時のシャッタ速度を読み込むシャッタ速度読み込み手段と、を備え、
前記演算制御手段が、前記測距値読み込み手段から得られた前記レンズから被写体までの距離、及び、レンズ情報読み込み手段から得られたレンズの焦点距離と、前記振動検出手段から得られた角速度とにもとづき、結像面での被写体像のぶれ速度を演算し、該ぶれ速度と、シャッタ速度読み込み手段から得られたシャッタ速度とに基づき、前記手ぶれ量を演算することを特徴とする請求項１から８のいずれか１つに記載のカメラ。
【発明の詳細な説明】
【技術分野】
【０００１】
本発明は、撮影時の手ぶれ量を表示部に表示するカメラに関する。
【背景技術】
【０００２】
カメラによって撮影を行う際には、手ぶれが生じ易く、特に、カメラに焦点距離が長いレンズが装着されている場合や、シャッタスピードが遅い場合には、手ブレが発生し易く、撮影画像の画質が悪くなる。
【０００３】
従来、カメラには、撮影の際に手ぶれが発生すると、ＬＥＤ、ＬＣＤの点灯や音声ガイドで警告を発して、撮影者に撮影条件を変更するように促すものがある。このとき、撮影条件が変更されると、撮影条件の変更前後のぶれ状態を比較し、変更後の手ぶれ状態が変更前より改善されていない場合には、より強い警告を発生して、撮影を禁止するものが提案されている（たとえば、特許文献１参照）。こうして、撮影者は速やかに手ブレが発生しない撮影条件に変更することができ、失敗のない撮影が行うことができる。
【０００４】
【特許文献１】実開平５−７９５４９号公報
【発明の開示】
【発明が解決しようとする課題】
【０００５】
しかし、従来のカメラは、手ぶれ状態を改善又は回避するために、手ぶれ発生時にＬＥＤ等の点灯や音声によって警告を発生するのみであった。そして、撮影者が、過去の撮影時に手ぶれ量を参照することによって、自身の撮影技量を把握するという使用ができず、撮影技術の向上に役立てることを図ることはできなかった。
【０００６】
本発明は、上記事情に鑑みてなされたもので、その目的は、撮影者が過去に行った撮影時の手ぶれ量を参照することができ、自身の撮影技量を把握可能にし、また、参照した手ぶれ量を撮影の際に利用することができるカメラを提供することを目的とする。
【課題を解決するための手段】
【０００７】
本発明の上記目的は、撮影時の手ぶれ量を演算する演算制御手段と、前記手ぶれ量に関する情報を表示可能な表示手段と、前記演算制御手段で演算された前記手ぶれ量を記憶する記憶手段とを備え、前記演算制御手段が、前記記憶手段に記憶された前記手ぶれ量に基づき手ぶれ量参照情報を生成し、前記手ぶれ量参照情報を前記表示手段に表示させることを特徴とするカメラによって達成される。
【０００８】
本発明によれば、演算制御手段によって演算された手ぶれ量を記憶手段に記憶させ、この手ぶれ量に基づき生成された手ぶれ量参照情報を表示手段によって表示させることで、撮影者が、過去の手ぶれ量をフレーム単位で表示手段上にて確認できる。このため、撮影者は、手ぶれ量参照情報によって自身の撮影技量を把握することができ、また、撮影技術の向上に役立てることが可能となる。
【０００９】
上記本発明のカメラは、演算制御手段が、手ぶれ量参照情報として、記憶手段に記憶された手ぶれ量を最後に撮影したものから順次遡って表示手段に表示させることができることが好ましい。こうすれば、撮影者は、手ぶれ量の履歴を順を追って参照することができる。
【００１０】
上記本発明のカメラは、演算制御手段に操作信号を入力可能な操作手段を備え、演算制御手段が、操作手段からの操作信号に基づき、手ぶれ量参照情報を生成し、手ぶれ量参照情報を表示手段に表示させることが好ましい。こうすれば、撮影者が、操作手段を操作することにより、所望の手ぶれ量参照情報を生成して表示手段に表示させることができる。
【００１１】
上記本発明のカメラは、演算制御手段が、手ぶれ量参照情報として、記憶された手ぶれ量に対応する撮影条件を表示手段に表示させることが好ましい。こうすれば、撮影者は、撮影の際に、過去の手ぶれ量に対応する撮影条件を参照して、撮影条件を調整することができるようになる。ここで、撮影条件が、少なくとも撮影条件番号，撮影年月日時刻，シャッタ速度、絞り値を含んでいることが好ましい。
【００１２】
上記本発明のカメラは、演算制御手段が、記憶手段に記憶された手ぶれ量を累計して平均値を算出し、この平均値を手ぶれ量参照情報として表示手段に表示させることが好ましい。こうすれば、撮影者は、撮影毎に最近の撮影時における手ぶれ量の平均値を参照し、撮影条件を調整することができる。
【００１３】
上記本発明のカメラは、演算制御手段が、記憶手段に記憶された手ぶれ量を統計的にクラス分けし、クラスごとの手ぶれの発生回数を表示手段に表示させることが好ましい。こうすれば、撮影者は、撮影の際の手ぶれ量の度合とその回数を容易に把握できる。
【００１４】
上記本発明のカメラは、演算制御手段が、記憶手段に記憶された手ぶれ量を累計して平均値を算出し、該平均値に対応するランク付けを行って表示装置に表示させることが好ましい。こうすれば、撮影者は、表示されたランクにより、撮影の際に生じた手ぶれ量に基づく撮影技量を認識することができ、その後の撮影技量の向上に役立てることができる。
【００１５】
上記本発明のカメラは、レンズから被写体までの距離を読み込む測距値読み込み手段と、
カメラボディの振動を角速度の変化として検出する振動検出手段と、
レンズの焦点距離およびレンズから結像点までの距離を読み込むレンズ情報読み込み手段と、
撮影時のシャッタ速度を読み込むシャッタ速度読み込み手段と、を備え、演算制御手段が、測距値読み込み手段から得られたレンズから被写体までの距離、及び、レンズ情報読み込み手段から得られたレンズの焦点距離と、振動検出手段から得られた角速度とにもとづき、結像面での被写体像のぶれ速度を演算し、該ぶれ速度と、シャッタ速度読み込み手段から得られたシャッタ速度とに基づき、手ぶれ量を演算することが好ましい。
【発明の効果】
【００１６】
本発明によれば、撮影者が過去に行った撮影時の手ぶれ量を参照することができ、自身の撮影技量を把握可能にし、また、参照した手ぶれ量を撮影の際に利用することができるカメラを提供することができる。
【発明を実施するための最良の形態】
【００１７】
以下、本発明の実施形態を図面に基づいて詳しく説明する。
図１は、本発明にかかるカメラの一実施形態を説明するブロック図である。
図１に示すように、カメラ１０は、カメラボディの振動検出手段１１と、露光スイッチ１２と、シャッタ速度読み込み手段１３と、測距値読み込み手段１４と、レンズ情報読み込み手段１５と、絞り値読み込み手段１６と、時刻読み込み手段１７と、記憶手段１８と、操作手段１９と、表示手段２０と、演算制御手段２１とを備えている。
【００１８】
振動検出手段１１は、カメラボディの振動を検出して電気信号に変換する機能を有し、角速度センサなどが用いられる。露光スイッチ１２は、シャッタが開き、露光が開始されたタイミングでオンとなり、シャッタが閉じて露光が終了したタイミングでオフとなるスイッチである。
【００１９】
シャッタ速度読み込み手段１３は、カメラ本体に設置されているシャッタの開閉速度を読み込むように機能する。測距値読み込み手段１４は、レンズと被写体の距離を光学的・電気的に読み込むように機能する。
【００２０】
レンズ情報読み込み手段１５は、レンズの焦点距離やレンズから結像点までの距離を含むレンズ情報を光学的・電気的に読み込むように機能する。絞り値読み込み手段１６は、カメラ本体に設置されている調光手段による光の絞り値を検出するように機能する。
【００２１】
時刻読み込み手段１７は、撮影の日付と時刻を読み込む。記憶手段１８は、撮影番号、撮影日時、シャッタ速度、絞り値、手ぶれ量等の各情報を記憶するように機能する。操作手段１９は、シャッタボタン、モード選択ボタン等を含むカメラ撮影、記憶情報表示等にかかわる操作に使用するものである。撮影者が操作手段１９を操作すると、操作手段１９が操作された動作に応じた操作信号を演算制御手段に入力する。
【００２２】
表示手段２０は、入力情報や記憶手段に格納された記憶情報等をディスプレイ上に表示するように機能する。表示手段２０は、例えば、ＬＣＤ等の表示部を有している。また、表示手段２０の表示部をタッチディスプレイとすることで、操作手段１９の一部の操作又は全ての操作を該表示部で行うことが可能な構成としてもよい。
【００２３】
演算制御手段２１は、カメラボディの振動検出手段１１、露光スイッチ１２、シャッタ速度読み込み手段１３、測距値読み込み手段１４、レンズ情報読み込み手段１５、絞り値読み込み手段１６、時刻読み込み手段１７、記憶手段１８に電気的に接続されている。そして、これらに制御信号を出力可能であり、また、これらから処理信号を入力し、後述する演算処理を実行する。
【００２４】
次に、カメラの撮影時における手ぶれ量の演算の手順を説明する。図２は、カメラの撮影時における手ぶれ量の演算の手順を示すフローチャートである。
先ず、撮影者は、カメラの電源を入れて演算制御手段を起動する。そして、シャッタ速度および絞り値の設定、測光、測距およびフォーカス処理を行うことで、操作手段１９の操作による、写真撮影が可能な状態となる。
【００２５】
まず、システムは操作手段の一つであるシャッタの操作を待機した状態となる。この状態で、シャッタが操作されると、露光スイッチ１２がオンとなる（ステップＳ２０１）。直ちに振動検出手段１１はカメラボディの振動の検出を開始するとともに（ステップＳ２０２）、シャッタ操作が終わると、露光スイッチがオフとなり（ステップＳ２０３）、カメラボディの振動検出も終了する（ステップＳ２０４）、つまり、シャッタが開いている期間にカメラボディの振動が検出される。
【００２６】
次に、シャッタ速度をシャッタ速度読み込み手段１３により読む込み（ステップＳ２０５）、レンズから被写体までの距離を測距情報読み込み手段１４により読み込む。
【００２７】
また、レンズの焦点距離とレンズからの結像点までの距離（結像距離）をレンズ情報読み込み手段１５により読み込み（ステップＳ２０７）、撮影日時を日時情報読み込み手段１７により読み込む（ステップＳ２０８）。そして、絞り値を絞り値読み込み手段１６により読み込む（ステップＳ２０９）。
【００２８】
そこで、前記演算制御手段２１は、各読み込み手段１３〜１６で読み込んだシャッタ速度、被写体距離、結像距離、焦点距離をもとに、下式の（１）〜（３）に示す計算式に従って、手ぶれ量を計算する（ステップＳ２１０）。
【００２９】
この手ぶれ量は、撮影者がカメラを保持したときに手の振動がカメラに伝わり、この振動によってカメラの撮影光軸が変位するときの変位量である。この手ぶれ量は、具体的には、図３及び下記式のようにして算出することができる。
図３は、カメラの光学系を説明する図である。図３においてレンズＬから被写体までの距離をａ、レンズＬから結像点までの距離をｂ、レンズＬの焦点距離をｆとすると、レンズ、被写体、結像点間の距離と焦点距離との関係式は、下記式（１）のようになる。
【００３０】
（１／ａ）＋（１／ｂ）＝１／ｆ            ・・・（１）
【００３１】
ここで、光軸Ｉが光軸Ｉｘまで角速度ωで傾いたとすると、このときの結像面での像の動く速度Ｖは、矢印の方向を正とした場合に下記式（２）によって表すことができる。
【００３２】
Ｖ＝ａｆω／（ａ−ｆ）                    ・・・（２）
【００３３】
また、シャッタ速度をｔとすると、手ぶれ量Ｂは、下記式（３）で求められる。
【００３４】
Ｂ＝Ｖ×ｔ                              ・・・（３）
【００３５】
次に、上式で得られた手ぶれ量Ｂを、シャッタ速度、撮影日時、絞り値、撮影写真のシリアル番号である撮影番号と関連付けて、手ぶれ量参照情報として、記憶手段１８に記憶する（ステップＳ２１１）。なお、ここで記憶する記憶情報としては、更に、被写体距離、焦点距離、結像距離を加えてもよい。そして、記憶手段１８に記憶された手ぶれ量参照情報を、表示手段にディスプレイ表示する（ステップＳ２１２）。
【００３６】
手ぶれ量参照情報の表示の手順を説明する。図４は、手ぶれ量参照情報の表示の手順を示すフローチャートである。本実施形態では、演算制御手段２１は、まず、操作手段１９等からの表示操作があるか否かを判別し（ステップＳ３０１）、表示操作があった場合には、更に表示要求の表示があるか否かを判別する（ステップＳ３０２）。表示要求の表示があった場合には、手ぶれ量参照情報の表示を行う（ステップＳ３０３）。
【００３７】
なお、記憶手段１８には、撮影日時ごとに、撮影番号、シャッタ速度、絞り値、手ぶれ量等を含む手ぶれ量参照情報が、ランダムに、又は所定のフォーマットで蓄積されている。図５は、記憶手段に記憶された手ぶれ量参照情報のフォーマットの一例である。図５に示すように、手ぶれ量は、その量に応じて便宜的に「０」から「１００」の値を持つように決めてある。従って、この手ぶれ量を含む１０件分の撮影情報を、図５に示すようなフォーマットのまま表示手段２０に一覧表示することができ、撮影者は手ぶれ量を含む一連の手ぶれ量参照情報を表示手段２０において一目で確認できる。本実施形態では、図５に示すように、手ぶれ量参照情報が、撮影の順番に付される撮影番号，撮影年月日時刻，シャッタ速度，絞り値及び手ぶれ量がそれぞれ対応するようにテーブルデータとして記憶されている。
【００３８】
また、ここで表示される手ぶれ量は、最後に撮影したフレーム順から順次遡って、「００１０」、「０００９」、「０００８」・・・の順番で表示される。このため、最新のデータにもとづく手ぶれ量の確認とともに、撮影技量の判定を行うことができる。なお、最新の数件の手ぶれ量で撮影技量の判定を行うことも可能である。また、カメラ本体のディスプレイサイズに制約がある場合には、図６に示すように、記憶手段１８から最新の数件、例えば３件のみを表示手段２０上で表示するようにしてもよい。
【００３９】
さらに、表示手段２０には１件のみを表示し、操作手段１９からの操作によって、時系列的に１件づつ更新しながら、表示してもよい。この場合には、最初に撮影番号「００１０」の手ぶれ量である値「３４」が表示され、操作手段１９の操作ごとに、操作番号「０００９」の「１４」、撮影番号「０００８」の「１８」・・・の順番で表示される。
【００４０】
また、記憶手段１８に記憶された手ぶれ量の全部又は一部の値の平均値を、演算制御手段２１によって演算し、手ぶれ量参照情報として表示手段２０に表示させてもよい。
図７は、手ぶれ量の平均値の表示例を示す図である。本実施形態では、撮影番号「０００１」から「００１０」までの撮影終了後に、手ぶれ量の平均値の表示操作を、操作手段１９から行うこととした。手ぶれ量の平均値の計算方法には、記憶手段１８から過去の手ぶれ量を読み込んで平均演算する方法と、撮影ごとに平均値を演算しながら更新していき、平均値の表示要求が発行された際に、この平均値を読み出す方法と、がある。平均値の計算方法については、予めデフォルトで設定されていてもよく、又は、撮影者自身が選択、設定してもよい。
【００４１】
記憶手段１８から過去の手ぶれ量を読み込んで平均演算する方法としては、例えば、撮影番号「００１０」までの撮影が終了している場合に、過去の１０回分の手ぶれ量を読み込んで総計し、この総計値を撮影回数の「１０」で割り算して平均値を求め、図７に示すように表示する。
【００４２】
一方、撮影ごとに手ぶれ量の平均値を演算しながら更新する場合には、図８に示すように、１回目の撮影終了時に平均値「３３」を算出し、２回目の撮影終了時に平均値「２１．５」を算出する、というように撮影を終了するごとに、平均値を求める。そして、操作手段１９により平均値を表示する旨の操作があった場合には、平均値を表示手段２０にディスプレイ表示する。また、この場合は、図２に示す、手ぶれ量の演算処理(ステップＳ２１０）の後に平均値の演算処理（ステップＳ２１３、Ｓ２１４）を行い、得られた平均値を記憶手段１８に記憶することになる。
【００４３】
本実施形態のカメラ１０において、手ぶれ量をその量に応じて複数の組に統計的にクラス分けし、そのクラスごとの手ぶれの発生回数を集計することができる。図９は、手ぶれ量をその量に応じて複数の組に統計的にクラス分けして集計したデータの一例を示す図である。
【００４４】
また、図９に示すように、クラスと手ぶれの発生回数との対応データを取り、クラスを横軸とし、手ぶれの発生回数を縦軸としてグラフ表示してもよい。図１０は、手ぶれ量のクラスと手ぶれの発生回数との関係示すグラフの一例である。
【００４５】
このように、演算制御手段２１は、操作手段１９の操作に応じ、手ぶれ量参照情報に基づき、統計的にクラス分けした情報及び手ぶれ量のクラスと手ぶれの発生回数との関係示す情報を生成し、これら情報のうち少なくとも一方を手ぶれ量参照情報として、表示手段２０に表示させるように制御することができる。
【００４６】
さらに、手ぶれ量の平均値をクラス分けして、これらを撮影技量についてランク付けし、撮影者の撮影技量に関するランクを算出し、表示することができる。図１１は、手ぶれ量に応じたランクを示すデータの一例である。本実施形態のカメラ１０は、図５に示すように、手ぶれ量の平均値が１９．５であるとし、図１１の対応データを参照して、図１２に示すように、表示手段２０にランキングを「２段」と表示することができる。これにより、撮影者自身が撮影技量を評価することができる。なお、手ぶれ量の平均値に対応するランクは、図１１に示すものに限定されない。
【００４７】
本発明のカメラによれば、演算制御手段２１によって演算された手ぶれ量を記憶手段１８に記憶させ、この手ぶれ量に基づき生成された手ぶれ量参照情報を表示手段２０によって表示させることで、撮影者が、過去の手ぶれ量をフレーム単位で表示手段２０上にて確認できる。このため、撮影者は、手ぶれ量参照情報によって自身の撮影技量を把握することができ、また、撮影技術の向上に役立てることが可能となる。
【００４８】
また、演算制御手段２１が、手ぶれ量参照情報として、記憶手段１８に記憶された手ぶれ量を最後に撮影したものから順次遡って表示手段２０に表示させる構成とすれば、撮影者は、手ぶれ量の履歴を順を追って参照することができる。上記実施形態のように、撮影した手ぶれ量を、最後に撮影した日時から遡って最新のフレームから１フレームずつ表示手段２０に表示させることで、過去の手ぶれ量を撮影の最新のものから１フレームづつ表示手段２０上にて確認できる。このため、１フレーム単位で撮影技量の把握が行えるとともに、表示手段２０における表示領域を１フレーム単位分に小さくしたり、表示領域内に１フレーム分の手ぶれ量を大きく表示したりすることができる。
【００４９】
また、上記実施形態のカメラ１０のように、演算制御手段２１に操作信号を入力可能な操作手段１９を備え、演算制御手段２１が、操作手段１９からの操作信号に基づき、手ぶれ量参照情報を生成し、手ぶれ量参照情報を表示手段２０に表示させる構成とすれば、撮影者が、操作手段１９を操作することにより、所望の手ぶれ量参照情報を生成して表示手段２０に表示させることができる。
【００５０】
上記実施形態のカメラ１０のように、演算制御手段２１が、手ぶれ量参照情報として、記憶された手ぶれ量に対応する撮影条件を表示手段２０に表示させる構成すれば、撮影者は、撮影の際に、過去の手ぶれ量に対応する撮影条件を参照して、撮影条件を調整することができるようになる。
【００５１】
上記実施形態のカメラ１０のように、演算制御手段２１が、記憶手段１８に記憶された手ぶれ量を累計して平均値を算出し、この平均値を手ぶれ量参照情報として表示手段２０に表示させる構成とすれば、撮影者は、撮影毎に最近の撮影時における手ぶれ量の平均値を参照し、撮影条件を調整することができる。
【００５２】
上記実施形態のように、演算制御手段２１が、記憶手段１８に記憶された手ぶれ量を統計的にクラス分けし、クラスごとの手ぶれの発生回数を表示手段２０に表示させる構成とすれば、撮影者は、撮影の際の手ぶれ量の度合とその回数を容易に把握できる。
【００５３】
上記実施形態のように、演算制御手段２１が、記憶手段１８に記憶された手ぶれ量を累計して平均値を算出し、該平均値に対応するランク付けを行って表示装置２０に表示させる構成とすれば、撮影者は、表示されたランクにより、撮影の際に生じた手ぶれ量に基づく撮影技量を認識することができ、その後の撮影技量の向上に役立てることができる。
【図面の簡単な説明】
【００５４】
【図１】本発明にかかるカメラの一実施形態を説明するブロック図である。
【図２】本発明にかかるカメラの撮影時における手ぶれ量の演算の手順を示すフローチャートである。
【図３】本発明のカメラの光学系を概略的に示す説明図である。
【図４】本発明にかかるカメラにおいて、手ぶれ量参照情報の表示の手順を示すフローチャートである。
【図５】本発明にカメラの記憶手段に記憶された手ぶれ量参照情報のフォーマットの一例である。
【図６】手ぶれ量参照情報の表示例を示す説明図である。
【図７】手ぶれ量の平均値の表示例を示す図である。
【図８】手ぶれ量の平均値の他の表示例を示す説明図である。
【図９】手ぶれ量をその量に応じて複数の組に統計的にクラス分けして集計したデータの一例を示す図である。
【図１０】手ぶれ量のクラスと手ぶれの発生回数との関係示すグラフの一例である。
【図１１】手ぶれ量に応じたランクを示すデータの一例である。
【図１２】手ぶれ量に応じたランクの表示例を示す説明図である。
【符号の説明】
【００５５】
１０  カメラ
１１  振動検出手段
１２  露光スイッチ
１３  シャッタ速度読み込み手段
１４  測距値読み込み手段
１５  レンズ情報読み込み手段
１６  絞り値読み込み手段
１７  時刻読み込み手段
１８  記憶手段
１９  操作手段
２０  表示手段
２１  演算制御手段
【図１】
2006350116.tif 000003
【図２】
2006350116.tif 000004
【図３】
2006350116.tif 000005
【図４】
2006350116.tif 000006
【図５】
2006350116.tif 000007
【図６】
2006350116.tif 000008
【図７】
2006350116.tif 000009
【図８】
2006350116.tif 000010
【図９】
2006350116.tif 000011
【図１０】
2006350116.tif 000012
【図１１】
2006350116.tif 000013
【図１２】
2006350116.tif 000014